(57)【要約】【課題】  表面に漆風化学塗料を塗布することにより美観および耐久性を向上させた洋菓子用包装箱及びその製造方法を提供すること。【解決手段】  洋菓子用包装箱1は、表面に模様及び色彩が印刷され、箱体の表面に貼り付けられた装飾紙５と、装飾紙５の表面に塗布された透明保護層６とから構成され、透明保護層６が漆風化学塗料からなる。また、洋菓子用包装箱1の製造方法は、板紙４から箱体を成型する箱成型工程と、板紙４の表面に包装紙５を貼り付ける貼付工程と、包装紙５の表面に漆風化学塗料からなる透明保護層６を塗布する塗布工程とを備える。【選択図】  図２
2009051514.tif 000002
【特許請求の範囲】
【請求項１】
板紙から形成された箱体と、
表面に模様及び色彩が印刷され、箱体の表面に貼り付けられた装飾紙と、
装飾紙の表面に塗布された透明保護層とから構成され、
透明保護層が漆風化学塗料からなることを特徴とする洋菓子用包装箱。
【請求項２】
表面に模様及び色彩が印刷されている板紙から成型された箱体と、
形成された箱体の印刷面に塗布された透明保護層とから構成され、
透明保護層が漆風化学塗料からなることを特徴とする洋菓子用包装箱。
【請求項３】
透明保護層は、装飾紙の表面又は印刷された板紙の表面に漆風化学塗料を直接一回塗付することにより形成されることを特徴とする請求項１または２に記載の洋菓子用包装箱。
【請求項４】
板紙から箱体を成型する箱成型工程と、
板紙の表面に装飾紙を貼り付ける貼付工程と、
装飾紙の表面に漆風化学塗料からなる透明保護層を塗布する塗布工程とを備える洋菓子用包装箱製造方法。
【請求項５】
板紙の表面に模様及び色彩を印刷する印刷工程と、
板紙から箱体を成型する箱成型工程と、
板紙の表面に漆風化学塗料からなる透明保護層を塗布する塗布工程とを備える洋菓子用包装箱製造方法。
【請求項６】
塗布工程において、透明保護層は装飾紙の表面又は印刷された板紙の表面に漆風化学塗料を直接一回塗付することを特徴とする請求項４又は５に記載の洋菓子用包装箱製造方法。
【発明の詳細な説明】
【技術分野】
【０００１】
本発明は、表面に漆風化学塗料を塗布することにより美観および耐久性を向上させた包装箱及びその製造方法に関する。
【背景技術】
【０００２】
従来、包装箱の意匠効果を向上させるために、色彩・模様が印刷された板紙で成型された包装箱がある。
このような包装箱の板紙として、特開平７−２０５９５２の包装箱が提案されている。
この包装箱の板紙１０１は、図６に示すように、表面に接着剤層１０２を介して色彩・模様を印刷したインキ層１０３と表面を保護する透明樹脂層１０４とが順に積層された構成からなる。
このような板紙を包装箱の展開図の形状に裁断し、この板紙を組み立てて接着することにより包装箱を製造する。
【特許文献１】特開平７−２０５９５２
【発明の開示】
【発明が解決しようとする課題】
【０００３】
上記のような包装箱において、透明樹脂層の代わりに漆を使用することにより表面に漆独特の美観を持たせることができる。
しかしながら、透明樹脂層の代わりに漆を使用すると、箱を組み立てる際に積層された板紙の折り曲げにより漆の層が破損するという問題があった。
【０００４】
上記点より本発明は、表面に漆風化学塗料を塗布することにより美観および耐久性を向上させた洋菓子用包装箱及びその製造方法を提供しようとするものである。
【課題を解決するための手段】
【０００５】
上記課題を解決するため、請求項１の洋菓子用包装箱は、板紙から形成された箱体と、表面に模様及び色彩が印刷され、箱体の表面に貼り付けられた装飾紙と、装飾紙の表面に塗布された透明保護層とから構成され、透明保護層が漆風化学塗料からなる。
【０００６】
請求項２の洋菓子用包装箱は、表面に模様及び色彩が印刷されている板紙から成型された箱体と、形成された箱体の印刷面に塗布された透明保護層とから構成され、透明保護層が漆風化学塗料からなる。
【０００７】
請求項３の洋菓子用包装箱は、透明保護層は、装飾紙の表面又は印刷された板紙の表面に漆風化学塗料を直接一回塗付することにより形成される。
【０００８】
請求項４の洋菓子用包装箱製造方法は、板紙から箱体を成型する箱成型工程と、板紙の表面に装飾紙を貼り付ける貼付工程と、装飾紙の表面に漆風化学塗料からなる透明保護層を塗布する塗布工程とを備える。
【０００９】
請求項５の洋菓子用包装箱製造方法は、板紙の表面に模様及び色彩を印刷する印刷工程と、板紙から箱体を成型する箱成型工程と、板紙の表面に漆風化学塗料からなる透明保護層を塗布する塗布工程とを備える。
【００１０】
請求項６の洋菓子用包装箱製造方法は、塗布工程において、透明保護層は装飾紙の表面又は印刷された板紙の表面に漆風化学塗料を直接一回塗付する。
【発明の効果】
【００１１】
請求項1及び請求項２の洋菓子用包装箱によれば、透明保護層の漆風化学塗料が半透明であるため、装飾紙及び板紙の表面の模様・色彩を活かしつつ表面に光沢を持たせることができる。
さらに、透明保護層の漆風化学塗料が熱、湿気に強いので、包装箱の耐熱性、耐湿性を向上させることができる。
また、装飾紙及び板紙の表面に塗布された漆風化学塗料が固まるので、包装箱自体の強度を向上させることができる。
また、多様な又は洋風の模様・色彩を漆塗りの加飾技法で施されたような和洋折衷した外観を得ることができ、洋菓子における新規の包装箱として包装した洋菓子の価値を高めることができる。
【００１２】
請求項３の洋菓子用包装箱によれば、透明保護層が装飾紙の表面又は印刷された板紙の表面に漆風化学塗料を直接一回塗付することにより形成されるので、漆のように複数回塗布する必要がない。
したがって、洋菓子用包装箱の製造コストを抑えつつ、洋菓子用包装箱に漆風の美観を持たせることができる。
【００１３】
請求項４及び請求項５の洋菓子用包装箱製造方法によれば、箱成型工程で箱を成型した後、塗布工程で漆風化学塗料を塗布する。
したがって、透明保護層が折り曲げられることによる透明保護層の割れを防止することができる。
【００１４】
請求項６の洋菓子用包装箱製造方法によれば、直接表面に漆風化学塗料を一回塗布することで透明保護層が形成されるので漆のように複数回塗布する必要がない。
したがって、洋菓子用包装箱の製造コストを抑えつつ、漆風の美観を持たせた洋菓子用包装箱を製造することができる。
漆塗りの場合、漆を自然乾燥させないと漆の保護層の割れや、保護層と装飾紙又は板紙との間の剥離が生じる。
しかしながら、漆風化学塗料は、漆のように複数回塗布する必要がないので、透明保護層を薄膜化することができる。
したがって、漆風化学塗料を強制乾燥させることができ、製造時間を短縮することができる。
【発明を実施するための最良の形態】
【００１５】
以下、本発明の実施形態を図面に基づいて説明する。
図１は、本発明の一実施形態である洋菓子用包装箱１の斜視図である。
【００１６】
図２の断面図に示すように、蓋２は、略長方形状の天板２１と天板２１の周辺から垂設されている所定の高さの壁部２２と開口部２３とから構成される箱体である。
【００１７】
本体３は、略長方形状の底板３１と底板３１の周縁から立設されている所定の高さの壁部３２と開口部３３とから構成される箱体である。
【００１８】
蓋２は、蓋２の壁部２２と本体３の壁部３２とが重なり合うように本体３と嵌合し、本体３の開口部３３を覆うことができる寸法となっている。
【００１９】
蓋２及び本体３は、板紙４から形成された箱体と、板紙４の表面に貼り付けられた装飾紙５と、装飾紙５の表面に塗布された透明保護層６とから構成されている。
【００２０】
装飾紙５の外側の表面には模様・色彩が印刷されている。
模様・色彩は包装する洋菓子に相応しいものがよく、洋風の模様・色彩を選択すると漆風の和との融合に興味をそそるものとなる。
透明保護層６は漆風化学塗料からなり、装飾紙５の外側の表面に直接一回塗布される。
例えば、漆風化学塗料は公知のウレタン塗料やカシュー塗料を適宜選択でき、塗布は直接塗りや吹き付け等により行うことができる。
【００２１】
図３は本発明の洋菓子用包装箱の別の実施形態の蓋２の断面図を示す。
本体３の断面図（図示せず）も蓋２の断面図と同様の構成となっている。
この実施形態では、蓋２及び本体３は、板紙４の外側の表面に模様及び色彩が印刷されている板紙から成型された箱体と、印刷された板紙４の表面に塗布された透明保護層６とから構成されている。透明保護層６は漆風化学塗料からなり、印刷された板紙４の表面に直接一回塗布される。
【００２２】
次に本発明の洋菓子用包装箱製造方法の実施形態について説明する。
図４は本発明の洋菓子用包装箱製造方法の実施形態の蓋２を示す。
箱成型工程において、図４の（ａ）に示すように板紙４から箱体を成型する。
次に貼付工程において  図４の（ｂ）に示すように板紙４の外側の表面に装飾紙５を貼り付ける。
次に塗布工程において、図４の（ｃ）に示すように装飾紙５の外側の表面に漆風化学塗料を塗布する。
【００２３】
塗布工程において、装飾紙５の外側の表面に漆風化学塗料を直接一回塗付することにより、透明保護層６が形成される。
【００２４】
図５は本発明の洋菓子用包装箱製造方法の別の実施形態の蓋２を示す。
この実施形態では、印刷工程において、板紙４の表面に模様及び色彩を印刷する（図示せず）。
次に、箱成型工程において、図５の（ａ）に示すように、印刷された板紙４から箱体を成型する。
次に、塗布工程において、図５の（ｂ）に示すように、板紙４の表面に漆風化学塗料を塗布する。
【００２５】
塗布工程において、板紙４の表面に漆風化学塗料を直接一回塗付することにより、漆風化学塗料の透明保護層６が形成される。
【００２６】
上記実施形態では、蓋２の天板２１及び本体３の底板３１が略長方形状となっているが、これに限定されることなく、蓋の天板及び本体の底板の形状は円形や多角形であってもよい。
【００２７】
なお、図面の実施形態に基づき本発明を説明したが、本発明は上記実施形態に何ら限定されるものではなく、本発明の趣旨を逸脱しない範囲内で種々改良変形が可能であることは容易に推察できるものである。
【図面の簡単な説明】
【００２８】
【図１】図１は、本発明の一実施形態である洋菓子用包装箱の斜視図である。
【図２】図１に示す洋菓子用包装箱の断面図であり、蓋及び本体を分離した状態を示す。
【図３】本発明の別の実施形態である洋菓子用包装箱の斜視図である。
【図４】本発明の一実施形態である洋菓子用包装箱製造方法の工程の一部を示す断面図である。
【図５】本発明の別の実施形態である洋菓子用包装箱製造方法の工程の一部を示す断面図である。
【図６】従来の包装箱に使用されている板紙の断面図である。
【符号の説明】
【００２９】
１      洋菓子用包装箱
２      蓋
３      本体
４      板紙
５      装飾紙
６      透明保護層
２１    天板
２２    壁部
２３    開口部
３１    底板
３２    壁部
３３    開口部
１０１  板紙
１０２  接着剤層
１０３  インキ層
１０４  透明樹脂層
【図１】
2009051514.tif 000003
【図２】
2009051514.tif 000004
【図３】
2009051514.tif 000005
【図４】
2009051514.tif 000006
【図５】
2009051514.tif 000007
【図６】
2009051514.tif 000008